(57)【要約】      （修正有）【課題】鏡筒の長さを減少させ、結像品質を向上させたレンズモジュールを提供する。【解決手段】レンズモジュールは、鏡筒１とレンズ群２とを備え、レンズ群２は鏡筒１内に取り付けられる。鏡筒１は、水平方向に延伸する第１の筒壁１１と、第１の筒壁１１から折れ曲がる第２の筒壁１２とを備え、レンズモジュールは、鏡筒１内に設けられた遮光シート３および押圧リング４をさらに備え、遮光シート３は第１の筒壁１１に固定され、押圧リング４は遮光シート３に設けられ、遮光シート３を押圧する。遮光シート３及びレンズ群２は、物体側から像側まで順に配列する。遮光シート３および押圧リング４の使用は、鏡筒の長さを短くし、鏡筒を成形するときの難しさを低下させて、鏡筒の良品率を向上させる。【選択図】図１
2017090874.tif 000002
【特許請求の範囲】
【請求項１】
水平方向に延伸する第１の筒壁と、前記第１の筒壁から折れ曲がって延伸する第２の筒壁とを備える鏡筒と、前記鏡筒内に取り付けられているレンズ群を備えるレンズモジュールにおいて、
前記レンズモジュールは、前記鏡筒内に設けられている遮光シートおよび押圧リングをさらに備え、
前記遮光シートは前記第１の筒壁に固定されており、
前記押圧リングは前記遮光シートに設けられており、前記遮光シートを押圧するためのものであり、
前記遮光シートおよび前記レンズ群は物体側から像側まで順に配列されていることを特徴とするレンズモジュール。
【請求項２】
前記遮光シートは中空のリング状の構造である、請求項１に記載のレンズモジュール。
【請求項３】
前記レンズ群は第１のレンズを含み、前記第１のレンズは第１の光学部と、前記第１の光学部を取り囲む第１の支持部とを備え、
前記第１の光学部の光軸方向による正投影は少なくとも部分的に前記遮光シート上に位置する、請求項２に記載のレンズモジュール。
【請求項４】
前記鏡筒には前記第１の筒壁の内面から前記鏡筒の中心軸方向へ延伸するボスが設けられており、前記ボスは前記遮光シートと前記第１のレンズの第１の支持部との間に挟まれており、前記ボスと前記第１の筒壁の内面とは収納槽が形成されており、前記遮光シートは部分的に前記収納槽に位置する、請求項３に記載のレンズモジュール。
【請求項５】
前記遮光シートは前記押圧リングとボスとの間に設けられている、請求項４に記載のレンズモジュール。
【請求項６】
前記遮光シートには通光孔が形成されており、前記レンズ群の軸心は、前記通光孔の軸心と同一の直線上に位置する、請求項１に記載のレンズモジュール。
【請求項７】
前記押圧リングは金属の押圧リングまたはプラスチックの押圧リングである、請求項１に記載のレンズモジュール。
【請求項８】
前記押圧リングは接着剤によって前記第１の筒壁に固定して接続されている、請求項１に記載のレンズモジュール。
【請求項９】
前記押圧リングと前記第１の筒壁との間には接着剤を収納するための接着剤用槽が設けられている、請求項８に記載のレンズモジュール。
【請求項１０】
前記押圧リングのエッジには切り欠きが設けられ、前記切り欠きと前記第１の筒壁の内面とが前記接着剤用槽を構成する、請求項９に記載のレンズモジュール。
【発明の詳細な説明】
【技術分野】
【０００１】
本開示は光学的結像の技術分野に属し、特にカメラ、ビデオカメラ、携帯電話、パネルコンピュータ、ノートパソコン等の電子デバイスに用いられるレンズモジュールに関する。
【背景技術】
【０００２】
従来、撮像技術の発展および撮影機能を有する電子製品の進化に伴い、光学撮像レンズモジュールは各種の製品に広く応用されている。現在の電子製品では、体積がますます小さくなるという傾向を満たすために、レンズモジュールの体積も小型化しなければならない。
【０００３】
技術のレンズモジュールは、レンズ鏡筒と、レンズ鏡筒内に設けられるレンズと、レンズ同士に挟まれた遮光シートとを備え、レンズ鏡筒は、水平方向に伸びている第１の筒壁と、第１の筒壁から折れ曲がって伸びている第２の筒壁とを備え、第１の筒壁上に、レンズが伸びる通光孔が形成される。
【０００４】
ところで、第１の筒壁上に通光孔が形成されるには、筒壁の肉厚が一定以上必要となるという要求を満たさなければならない。筒壁の厚さが増加すると、レンズモジュール全体の高さおよび重量は増加する。また、レンズ鏡筒を成形するときの難しさが増す。
【０００５】
したがって、新しいレンズモジュールを提供して上記の欠陥を克服する必要がある。
【発明の概要】
【発明が解決しようとする課題】
【０００６】
本願で開示する発明は、従来のレンズモジュールの、全体として長く、かつ、重いことでてグレアとなり易くレンズモジュールの結像品質を低下させる、という課題を解決したレンズモジュールを提供することを目的とする。
【課題を解決するための手段】
【０００７】
上記課題を解決するために、本願で開示するレンズモジュールは、水平方向に延伸する第１の筒壁と、前記第１の筒壁から折れ曲がって延伸する第２の筒壁とを備える鏡筒と、前記鏡筒内に取り付けられるレンズ群を備えるレンズモジュールであって、前記レンズモジュールは、前記鏡筒内に設けられた遮光シートおよび押圧リングをさらに備え、前記遮光シートは前記第１の筒壁に固定され、前記押圧リングは前記遮光シート上に設けられ、前記遮光シートを押圧するためのものであり、前記遮光シートおよび前記レンズ群は物体側から像側まで順に排列する。
【０００８】
また、本願で開示するレンズモジュールでは、前記遮光シートは中空のリング状の構造である。
【０００９】
また、本願で開示するレンズモジュールでは、前記レンズ群は第１のレンズを含み、前記第１のレンズは第１の光学部と、前記第１の光学部を取り囲む第１の支持部とを備え、前記第１の光学部の光軸方向による正投影は、少なくとも部分的に前記遮光シートに位置する。
【００１０】
さらに、本願で開示するレンズモジュールでは、前記鏡筒には前記第１の筒壁の内面から前記鏡筒の中心軸方向へ延伸するボスが設けられ、前記ボスは前記遮光シートと前記第１のレンズの第１の支持部との間に挟まれ、前記ボスと前記第１の筒壁の内面とは収納槽を形成し、前記遮光シートは部分的に前記収納槽に位置する。
【００１１】
さらに、本願で開示するレンズモジュールでは、前記遮光シートは前記押圧リングとボスとの間に設けられる。
【００１２】
さらに、本願で開示するレンズモジュールでは、前記遮光シートには通光孔が形成され、前記レンズ群の軸心は、前記通光孔の軸心と同一の直線上に位置する。
【００１３】
さらに、本願で開示するレンズモジュールでは、前記押圧リングは金属押圧リングまたはプラスチック押圧リングである。
【００１４】
さらに、本願で開示するレンズモジュールでは、前記押圧リングは接着剤によって前記第１の筒壁に固定して接続される。
【００１５】
さらに、本願で開示するレンズモジュールでは、前記押圧リングと前記第１の筒壁との間には接着剤を収納するための接着剤用槽が設けられる。
【００１６】
さらに、本願で開示するレンズモジュールでは、前記押圧リングのエッジには切り欠きが設けられ、前記切り欠きと前記第１の筒壁の内面とは前記接着剤用槽を構成する。
【発明の効果】
【００１７】
本願で開示するレンズモジュールでは、遮光シートが第１の筒壁に固定され、押圧リングを利用して遮光シートを押圧する。遮光シートと押圧リングを利用してレンズモジュールを組み立てるバリア構成を形成して、従来の筒体の一体成形の内部突起部を代替する。遮光シートおよび押圧リングの厚さは、内部突起部の鏡筒の軸方向に沿う厚さよりもはるかに小さいので、鏡筒の長さを相当に減少させる。
【００１８】
次に、遮光シートおよび押圧リングの厚さが、従来の内部突起部の鏡筒の軸方向に沿う厚さよりもはるかに小さいので、遮光シートの通光孔を介してレンズ群に入る光線が遮光シートおよび押圧リングの内面に反射することは大幅に少なくなり、結像するときのグレアを弱くし、レンズモジュールの結像品質を向上させる。その他、鏡筒の面に一定の厚みを有させることを保証するとき、遮光シートおよび押圧リングを使用することによって鏡筒の長さを短くして、鏡筒の成形をするときその成形の難しさを低下させて、鏡筒の良品率を向上させる。
【図面の簡単な説明】
【００１９】
【図１】実施の形態にかかるレンズモジュールの模式図である。
【発明を実施するための形態】
【００２０】
以下、図面および実施形態を参照しながら、本願で開示する発明について詳細に説明する。
【００２１】
なお、図面を用いて詳細に記述することによって、本願で開示する発明の上記の新規な、および／または、他の面、および、その利点は、より明白になり、より理解されやすくなる。しかし、添付の図面は説明するためのものであり、本願で開示する発明を制限するものではない。
【００２２】
以下では、図面を参照しながら、本願で開示する発明の、レンズと結像デバイスの実施形態を記述する。
【００２３】
以下に記述する実施形態は、本願で開示するレンズモジュールの特定の具体的な実施形態であり、本願で開示するレンズモジュールの技術的思想を説明するためのものであり、解釈、例示するものであって、本願で開示する発明の態様およびその範囲を制限するものではない。以下に記載する実施形態以外に、当業者は、本願の請求の範囲および明細書に開示された内容に基づいて、明白的な他の技術を採用することもできる。これらの技術案は、以下に記載する実施形態に対して、任意の明白的な代替または修正を行った技術案を含むものである。
【００２４】
また、本明細書で説明する図面は模式図であり、本願で開示する発明の構想を補助して説明するものであり、各部の形状およびその相関関係を模式的に示すものである。本願で開示する発明の実施形態における各部の構成を明瞭に表現するために、図面の比例は厳密なものではない。
【００２５】
図１は、本実施形態にかかるレンズモジュールを示す。
【００２６】
図１に示すレンズモジュールは、鏡筒１とレンズ群２とを備え、レンズ群２は鏡筒１内に取り付けられている。また、鏡筒１は、水平方向に延伸する第１の筒壁１１と第１の筒壁１１から折れ曲がって延伸する第２の筒壁１２とを備える。
【００２７】
レンズモジュールは、鏡筒１内に設けられている遮光シート３と押圧リング４とをさらに備え、遮光シート３は第１の筒壁１１に固定され、押圧リング４は遮光シート３に設けられて遮光シート３を押圧するためのものである。
【００２８】
遮光シート３とレンズ群２とは、物体側から像側まで順に配列され、遮光シート３には通光孔６が形成されている。
【００２９】
当業者が理解できるように、図１に示すレンズ群は、例示するためのものだけであり、実際のレンズ群が備えるレンズの数は、鏡筒の種類や焦点距離の異なりによって大きく変化するものである。
【００３０】
上記において物体側とは、使用するとき鏡筒の物体側に近い側を意味し、像側は、物体側とは反対側を意味する。図１において分かるように、第１の筒壁１１は物体側に近く、第１の筒壁１１の鏡筒中心へ延伸する長さは、第２の筒壁１２よりも長い。
【００３１】
実施形態にかかるレンズモジュールでは、レンズ群２には第１のレンズ２１が設けられ、第１のレンズ２１は、第１の光学部２１１と、第１の光学部２１１を取り囲む第１の支持部２１２とを備えている。第１の光学部２１１の光軸方向での正投影は、少なくとも部分的に遮光シート３上に位置する。
【００３２】
また、実施形態にかかるレンズモジュールでは、鏡筒１には第１の筒壁１１の内面から鏡筒１の中心軸方向へ延伸するボス１３が設けられる。ボス１３は、遮光シート３と第１のレンズ２１の第１の支持部２１２との間に設けられ、ボス１３と第１の筒壁１１の内面とは収納槽を形成する。遮光シート３は、部分的に収納槽内に設けられる。遮光シート３は、押圧リング４とボス１３との間に挟まれる。
【００３３】
本実施形態にかかるレンズモジュールでは、レンズ群２の軸心と通光孔６の軸心とは同一直線上に位置する。
【００３４】
実施形態にかかるレンズモジュールでは、遮光シート３は中空のリング状の構造を有している。一例として、遮光シートの厚さは１ｍｍ〜５ｍｍである。遮光シート３を使用する主要な目的は、通光孔６の壁の内面の光反射を減少させることによって、レンズの結像の品質を向上させるということである。このため、遮光シート３の厚さは、従来の既存の鏡筒１の筒体と一体成形する内面突起部のレンズの軸方向に沿う厚さを超えないようにする。
【００３５】
実施形態にかかるレンズモジュールでは、押圧リング４は金属の押圧リングまたはプラスチックの押圧リングである。好ましい実施例では、レンズモジュールの組立を便利にするために、押圧リング４は接着剤５によって第１の筒壁１１に固定して接続される。
【００３６】
押圧リング４が接着剤５によって第１の筒壁１１に固定して接続される実施例では、押圧リング４と第１の筒壁１１とをより確実に接着させるために、さらに以下のように、上記の実施例を改進することができる。すなわち、押圧リング４と第１の筒壁１１との間に接着剤５を収納するための接着剤用槽が設けられる。例えば、押圧リング４のエッジには切り欠きが設けられ、この切り欠き４と第１の筒壁１１の内面とが上述の接着剤用槽を構成する。
【００３７】
本実施形態のレンズモジュールによれば、以下の有益な効果を奏し得る。
【００３８】
１、遮光シートが第１の筒壁に固定され、押圧リングを利用して前記遮光シートを押圧する。遮光シートと押圧リングを利用してレンズモジュールを組み立てるバリア構成を形成して、従来の筒体の一体成形の内部突起部を代替する。遮光シートと押圧リングとの合計の厚さは内面突出部の鏡筒の軸方向に沿う厚さよりもはるかに小さいから、鏡筒の長さは相当に減少させる。
【００３９】
２、遮光シートおよび押圧リングの厚さが、従来の鏡筒の内部突起部の鏡筒の軸方向に沿う厚さよりもはるかに小さいので、遮光シートの通光孔を介してレンズ群に入る光線が遮光シート及び押圧リングの内面に反射することは大幅に少なくなり、結像するときのグレアを弱くし、レンズの結像品質を向上させる。
【００４０】
３、鏡筒の面に一定の厚さを有させることを保証するとき、遮光シートおよび押圧リングを使用することによって、鏡筒の長さを短くし、鏡筒を成形するとき、その成形の難しさを低下して、鏡筒の良品率を向上させる。
【００４１】
上記の開示されている各構成要件は、開示されたような他の構成要件との組み合わせに限っていない。当業者は、本願で開示する発明の目的を達成できれば、発明の目的に基づいて各構成要件同士の他の組み合わせをすることもできる。
【符号の説明】
【００４２】
１    鏡筒
１１    第１の筒壁
１２    第２の筒壁
１３    ボス
２    レンズ群
２１    第１のレンズ
２１１    第１の光学部
２１２    第１の支持部
２２    第２のレンズ
３    遮光シート
４    押圧リング
５    接着剤
６    通光孔
【図１】
2017090874.tif 000003